(57)【要約】　　　（修正有）【課題】雨天でも使用できるクランプ式検出器用の防水ケースの提供。【解決手段】内側開口面１３，２３相互を介して接離自在に対面合致し、かつ、相互間でクランプ式検出器１を収納する内部空間の確保が自在に二分割された一方のケース部１２と他方のケース部２２とで構成され、これらケース部１２，２２には、内側開口面１３，２３相互を水密性を保持させて対面合致させた際に被測定導体Ｌの挿通を許す通孔部が形成され、かつ、収納されたクランプ式検出器１による内部空間側からのクランプを可能とした凹陥部１８，２８を、それぞれの内側開口面１３，２３を覆う部分閉止面１９，２９として各別に配設するとともに、一方のケース部２２は、内側開口面２４とは反対側に位置する側板部３０を、その閉止時に水密性が保持される開閉自在な扉部３１として外側開口面３２の確保を自在にして形成した。【選択図】図１
2004085319.tif 000002
【特許請求の範囲】
【請求項１】
内側開口面相互を介して接離自在に対面合致し、かつ、相互間でクランプ式検出器を収納する内部空間の確保が自在に二分割された一方のケース部と他方のケース部とで構成され、
これらケース部には、前記内側開口面相互を水密性を保持させて対面合致させた際に相互間で被測定導体の挿通を許す通孔部が形成され、かつ、収納された前記クランプ式検出器による前記内部空間側からの前記通孔部側へのクランプを可能とした凹陥部を、それぞれの前記内側開口面の一側寄りを覆う部分閉止面として各別に配設するとともに、
少なくともいずれか一方のケース部は、前記内側開口面とは反対側に位置する側板部を、その閉止時に水密性が保持される開閉自在な扉部として外側開口面の確保を自在にして形成したことを特徴とするクランプ式検出器のための防水ケース。
【請求項２】
前記ケース部相互は、前記内側開口面を画成するそれぞれの開口縁部近傍に位置する適宜部位に設置された蝶番材と、その閉止状態を解除可能に維持させる掛止材とを介して離脱困難に一体化させた請求項１に記載のクランプ式検出器のための防水ケース。
【請求項３】
前記扉部は、前記クランプ式検出器における本体部を把持した状態のもとでクランプ部の前記凹陥部側への前記外側開口面側からの導入を可能に開閉させるための蝶番材と、その閉止状態を解除可能に維持させる掛止材とを介して前記ケース部に配設した請求項１または２に記載のクランプ式検出器のための防水ケース。
【請求項４】
前記扉部には、収納された前記クランプ式検出器が備える引出しコードを外部に水密状に導出するための防水コネクタを具備させた請求項１ないし３のいずれかに記載のクランプ式検出器のための防水ケース。
【請求項５】
前記ケース部は、収納して被測定導体の側にクランプさせた前記クランプ式検出器に表示される測定値の透視が自在な透明部を少なくとも備える請求項１ないし４のいずれかに記載のクランプ式検出器のための防水ケース。
【発明の詳細な説明】
【０００１】
【発明の属する技術分野】
本発明は、屋外等に配線されている電線などのような被測定導体をクランプ式電流計などのようなクランプ式検出器を用いて測定する際にこれを雨水などで濡らすことなく円滑に行うことができるようにしたクランプ式検出器のための防水ケースに関する技術である。
【０００２】
【従来の技術】
クランプ式電流計やクランプ式電流センサなどを含むクランプ式検出器は、そのクランプ部を介して活線状態にある電線などの被測定導体にクランプすることにより、電流回路に流れる回路電流を測定することができるようになっている。
【０００３】
このため、この種のクランプ式検出器は、屋内に配線されている被測定導体はもとより、屋外に配線されている被測定導体に対してもこれを用いて必要な測定作業が行われることになる。
【０００４】
この場合、被測定導体が屋内に配線されている場合には、通常のクランプ式検出器であっても特に防水性の問題が生じないものの、屋外に被測定導体が配線されている場合には、その測定時に雨水に濡れることを前提に防水構造を備えたクランプ式検出器が使用されることになる。
【０００５】
【発明が解決しようとする課題】
しかし、防水性能を有するクランプ式検出器については、その構造も複雑化することから製品コストが高くなってしまう不都合があった。
【０００６】
また、防水性を備えていない通常のクランプ式検出器を屋外で使用している最中に雨が降ってきた場合には、止むを得ず現場での測定作業を中断しなければならなくなるため、作業効率を低下させる不具合もあった。
【０００７】
さらに、現場での作業性を高めるために晴天用と雨天用との二種類のタイプのクランプ式検出器をあらかじめ持ち運ぶ場合には、そのための保管・搬送作業が煩雑になってしまう問題があった。
【０００８】
本発明は、従来技術にみられた上記課題に鑑み、比較的コストの安価な防水性能を備えていない通常のクランプ式検出器であっても、全天候タイプの汎用性を付与して屋外で安心して測定作業を遂行することができるクランプ式検出器のための防水ケースを提供することに目的がある。
【０００９】
【課題を解決するための手段】
本発明は、上記目的を達成すべくなされたものであり、内側開口面相互を介して接離自在に対面合致し、かつ、相互間でクランプ式検出器を収納する内部空間の確保が自在に二分割された一方のケース部と他方のケース部とで構成され、これらケース部には、前記内側開口面相互を水密性を保持させて対面合致させた際に相互間で被測定導体の挿通を許す通孔部が形成され、かつ、収納された前記クランプ式検出器による前記内部空間側からの前記通孔部側へのクランプを可能とした凹陥部を、それぞれの前記内側開口面の一側寄りを覆う部分閉止面として各別に配設するとともに、少なくともいずれか一方のケース部は、前記内側開口面とは反対側に位置する側板部を、その閉止時に水密性が保持される開閉自在な扉部として外側開口面の確保を自在にして形成したことに構成上の特徴がある。
【００１０】
この場合、前記ケース部相互は、前記内側開口面を画成するそれぞれの開口縁部近傍に位置する適宜部位に設置された蝶番材と、その閉止状態を解除可能に維持させる掛止材とを介して離脱困難に一体化させておくのが好ましい。
【００１１】
また、前記扉部は、前記クランプ式検出器における本体部を把持した状態のもとでクランプ部の前記凹陥部側への前記外側開口面側からの導入を可能に開閉させるための蝶番材と、その閉止状態を解除可能に維持させる掛止材とを介して前記ケース部に配設しておくのが望ましい。
【００１２】
さらに、前記扉部には、収納された前記クランプ式検出器が備える引出しコードを外部に水密状に導出するための防水コネクタを具備させておくこともできる。また、前記ケース部には、収納して被測定導体の側にクランプさせた前記クランプ式検出器に表示される測定値の透視が自在な透明部を少なくとも具備させておくことができる。
【００１３】
【発明の実施の形態】
図１は、本発明の一例を内部構造が明らかになるようにその全体を開放状態のもとで示す全体斜視図であり、図２は、一方のケース部と他方のケース部と閉止した状態で示す全体斜視図である。
【００１４】
これらの図によれば、非磁性の絶縁材料からなる防水ケース１１の全体は、内側開口面１３，２３相互を介して接離自在に対面合致し、かつ、相互間でクランプ式検出器１を収納する内部空間３５の確保が自在に二分割された一方のケース部１２と他方のケース部２２とで構成されている。なお、これらのケース部１２，２２は、不透明な部材により形成することができるほか、被測定導体Ｌの側にクランプさせたクランプ式検出器１に表示される測定値の透視が自在な透明部を部分的に設けて形成したり、その全体をアクリル樹脂材などの透明樹脂材で形成するものであってもよい。
【００１５】
この場合、一方のケース部１２と他方のケース部２２とは、収納されるクランプ式検出器１の具体的な外形形状との関係で定まる容積と形状とを備える内部空間３が相互間で確保でき、かつ、内側開口面１３，２３相互を介して接離自在に対面合致できるものでさえあれば、デザイン性などを含む所望に応じた外観形状を適宜選定して形成することができる。
【００１６】
また、これらケース部１２，２２には、内側開口面１３，２３相互に水密性を保持させて対面合致させた際に、相互間で被測定導体Ｌの挿通を許す円形等の通孔部３６が形成され、かつ、収納されたクランプ式検出器１による内部空間３５側からの通孔部３６側へのクランプを可能とした凹陥部１８，２８を、それぞれの内側開口面１３，２３の一側寄りを覆う部分閉止面１９，２９として各別に配設されている。
【００１７】
この場合、ケース部１２，２２の内側開口面１３，２３相互を対面合致させた際の水密性は、一方のケース部１２の内側開口面１３を画成している開口縁部１４上に沿わせて添着されているシリコーンゴムなどからなるシーリング材１７に対し、他方のケース部２２の内側開口面２３を画成している開口縁部２４を密着させることにより確保されることになる。
【００１８】
そして、ケース部１２，２２相互は、内側開口面１３，２３を画成しているそれぞれの開口縁部１４，２４にあって、凹陥部１８，２８側とは反対側の位置関係にある底板部１５，２５側に位置する下縁部１４ａ，２４ａ側に設置された蝶番材３７を介して開閉自在に連結されている。
【００１９】
さらに、ケース部１２，２２相互は、その閉止状態を人為的に解除可能とした状態で維持させておくことができる掛止材４５を、計５カ所に設置することにより一体化できるようになっている。
【００２０】
そして、この場合における各掛止材４５は、一方のケース部１２の内側開口面１３の左右両側各２カ所と、該内側開口面１３の上側１カ所との計５カ所に各別に配設されたレバー４６の回動操作に従動する掛止片部４７と、他方のケース部２２の内側開口面２３側の対応部位に各別に配設された爪状の被掛止片部４８との対となって、それぞれが形成されている。
【００２１】
しかも、他方のケース部２２は、内側開口面２３とは反対側に位置する側板部３０が、その閉止時に水密性が保持される開閉自在な扉部３１として外側開口面３２の確保を自在にして形成されている。
【００２２】
これを図示例に従ってより詳しく説明すれば、扉部３１は、クランプ式検出器１における本体部２を把持した状態のもとで開閉自在な一対のクランプ部３，３の凹陥部１８，２８側への外側開口面３２からの導入を可能とすべく開閉させるための蝶番材４９と、その閉止状態を解除可能に維持させる掛止材５０とを介してケース部２２に配設されている。
【００２３】
この場合、ケース部２２と扉部３１とは、外側開口面３２を画成している開口縁部３３にあってケース部２２の上板部３４側に位置する上縁部３３ａと扉部３１の対応部位とに設置された蝶番材４９を介して開閉自在に連結されている。
【００２４】
また、掛止材５０は、ケース部１２の外側開口面３２の底板部２５側に位置する部位に配設されたレバー５１の回動操作に従動する掛止片部５２と、扉部３１の対応部位に配設された爪状の被掛止片部５３との対となって形成されている。
【００２５】
しかも、ケース部２２の扉部３１を介して外側開口面３２を閉止した際の水密性は、外側開口面３２を画成している開口縁部３３上に沿わせて添着したシリコーンゴムなどからなるシーリング材３５に扉部３１の側の対応部位を対面合致させて密着させることにより確保されることになる。
【００２６】
また、扉部３１の下側面３１ａ側には、収納されたクランプ式検出器１が備える引出しコード４を外部へと水密状に導出することができる防水コネクタ３６が配設されている。
【００２７】
本発明に係る防水ケース１１は、このようにして構成されているので、これを使用するに際しては、まず、一方のケース部１２と他方のケース部２２とを蝶番材４４を介して図１に示すように二つ割りにする。
【００２８】
このように二つ割りにすることにより、一方のケース部１２の凹陥部１８と他方のケース部２２の凹陥部２８とを引き離すことができるので、電線等の被測定導体Ｌを凹陥部１８，２８側へと導入することができる。
【００２９】
このようにして被測定導体Ｌを凹陥部１８，２８側に導入した後は、一方のケース部１２の内側開口面１３と他方のケース部２２の内側開口面２３とを対面合致させた状態のもとでシーリング材１７を介して密着させ、それぞれの掛止材４５を掛着させることにより相互が水密状となって一体化される。
【００３０】
このように一方のケース部１２と他方のケース部２２とを一体化させることにより、凹陥部１８，２８相互も一体化されて図２に示すように被測定導体Ｌが挿通された通孔部４３が形成されるに至る。
【００３１】
しかる後、他方のケース部２２の扉部３１をその蝶番材４９を介して上方へと動かすことにより、図２に示されているように外側開口面３２を表出させることができる。
【００３２】
かくして、クランプ式検出器１は、外側開口面３２を介して内部空間４２へと送り込むことができ、その際にクランプ部３，３相互を開状態として凹陥部１８，２８を内側から抱持するように配置することにより、図４に示すように凹陥部１８，２８を介して被測定導体Ｌをクランプすることができる。
【００３３】
被測定導体Ｌをクランプ式検出器１で内部空間４２側からクランプした後は、防水コネクタ３６，３６を介して引出しコード４，４を外部に導出した上で、扉部３１をケース部２２の外側開口面３２の側にシーリング材３５を介して密着させた上で掛止材５０を掛着させることにより、水密状となって確実に閉止され、クランプ式検出器１を密閉状態のもとで収納することができる。
【００３４】
このため、防水性能を備えていないクランプ式検出器１であっても雨水で濡れてしまうことなく、屋外の被測定導体Ｌに対し安心して円滑に測定作業を遂行することができる。
【００３５】
また、測定作業を終えた後は、以上に述べた手順を逆に行うことで、クランプ式検出器１と防水ケース１１とを被測定導体Ｌの側から取り外して回収することができる。
【００３６】
以上は、本発明の実施形態を図示例に即して説明したものであり、その具体的な実施の形態例はこれに限定されるものではない。例えば、扉部３１は、一方のケース部１２の側に設けたり、両方のケース部１２，２２に設けておくこともできる。また、防水コネクタ３６は、扉部３１ではなくケース部２２の側に配設しておくこともできる。さらに、扉部３１は、左右方向や下方に開くことができるように蝶番材４９を配設しておくこともできる。さらにまた、一方のケース部１２と他方のケース部２２とは、完全に分離できるようにして形成し、その使用時に掛止材を用いて一体化できるようにしておくこともできる。また、シーリング材は、図示例とは反対側に位置する対応部位に添着したり、対面合致する双方に添着しておくこともできる。
【００３７】
【発明の効果】
以上に述べたように本発明によれば、防水構造を備えないクランプ式検出器であっても屋外で雨に濡らすことなく被測定導体を安心して円滑に測定することができる。
【００３８】
また、晴天用と雨天用との二種類のタイプのクランプ式検出器をあらかじめ用意しておくことなく、急な雨にも即応させることができるので、クランプ式検出器を持ち運ぶ際の保管・搬送作業をそれだけ簡素化することができる。
【図面の簡単な説明】
【図１】本発明の一例につき、被測定導体とクランプ式検出器との配置関係のもとで内部構造が明らかになるように、その全体を開放状態にして示す全体斜視図。
【図２】被測定導体とクランプ式検出器との配置関係のもとで、図１に示す一方のケース部と他方のケース部とを閉止した状態で示す全体斜視図。
【図３】図１に示す一方のケース部と他方のケース部とを閉止し、扉部を開放してクランプ式検出器を被測定導体側にクランプさせた状態を示す全体斜視図。
【図４】図１に示す防水ケース内にクランプ式検出器を完全に収納して被測定導体を測定している状態を示す全体斜視図。
【符号の説明】
１クランプ式検出器
２本体部
３クランプ部
４引出しコード
１１防水ケース
１２，２２ケース部
１３，２３内側開口面
１４，２４開口縁部
１４ａ，２４ａ下縁部
１５，２５底板部
１７シーリング材
１８，２８凹陥部
１９，２９部分閉止面
３０側板部
３１扉部
３１ａ下側面
３２外側開口面
３３開口縁部
３３ａ上縁部
３４上板部
３５シーリング材
３６防水コネクタ
４２内部空間
４３通孔部
４４蝶番材
４５掛止材
４６レバー
４７掛止片部
４８被掛止片部
４９蝶番材
５０掛止材
５１レバー
５２掛止片部
５３被掛止片部
【図１】
2004085319.tif 000003
【図２】
2004085319.tif 000004
【図３】
2004085319.tif 000005
【図４】
2004085319.tif 000006